(57)【要約】【課題】アクセスポイントとして機能する情報処理装置について、周辺に他のアクセスポイントがある場合に、確実に、他のアクセスポイントと区別して認識できるようにする。【解決手段】印刷装置１１は、アクセスポイントとして機能し、外部装置と無線通信する無線通信部２６と、周辺に位置するアクセスポイントのＳＳＩＤである外部装置ＳＳＩＤを取得し、取得した外部装置ＳＳＩＤと異なる値のＳＳＩＤである印刷装置ＳＳＩＤを生成し、生成した印刷装置ＳＳＩＤを、アクセスポイントとして機能する無線通信部２６のネットワーク識別子として設定する制御部２０と、を備える。【選択図】図２
2016171490.tif 000002
【特許請求の範囲】
【請求項１】
アクセスポイントとして機能し、外部装置と無線通信する無線通信部と、
識別情報に基づいてネットワーク識別子である設定識別子を生成する処理、周辺に位置するアクセスポイントのネットワーク識別子である外部識別子を取得する処理、及び、取得した前記外部識別子と生成した前記設定識別子とが同一でない場合に、生成した前記設定識別子を、アクセスポイントとして機能する前記無線通信部のネットワーク識別子として設定する処理を実行する制御部と、
を備えることを特徴とする情報処理装置。
【請求項２】
記録媒体に印刷する印刷部を備え、
前記制御部は、
前記印刷部を制御して、生成した前記設定識別子を示す情報を、前記記録媒体に印刷させる請求項１に記載の情報処理装置。
【請求項３】
前記制御部は、
前記設定識別子を生成した後に前記外部識別子を取得し、
生成した前記設定識別子の値と、取得した前記外部識別子の値とが同一でない場合は、生成した前記設定識別子を、アクセスポイントとして機能する前記無線通信部のネットワーク識別子として設定し、
生成した前記設定識別子の値と、取得した前記外部識別子の値とが同一の場合は、生成した前記設定識別子の値を、取得した前記外部識別子の値と異なるように、所定のルールに従って変更し、変更後の前記設定識別子を、アクセスポイントとして機能する前記無線通信部のネットワーク識別子として設定する請求項１又は２に記載の情報処理装置。
【請求項４】
前記制御部は、
前記外部識別子を取得し、取得した後に取得した前記外部識別子の値と異なる値の前記設定識別子を自身の識別情報に基づいて生成し、生成した前記設定識別子を、アクセスポイントとして機能する前記無線通信部のネットワーク識別子として設定する請求項１又は２に記載の情報処理装置。
【請求項５】
アクセスポイントとして機能し、外部装置と無線通信する無線通信部、及び、
識別情報に基づいてネットワーク識別子である設定識別子を生成する処理、周辺に位置するアクセスポイントのネットワーク識別子である外部識別子を取得する処理、及び、取得した前記外部識別子と生成した前記設定識別子とが同一でない場合に、生成した前記設定識別子を、アクセスポイントとして機能する前記無線通信部のネットワーク識別子として設定する処理を実行する制御部を有する情報処理装置と、
無線通信する端末無線通信部、及び、
前記設定識別子に基づいて、アクセスポイントとして機能する前記情報処理装置の前記無線通信部と前記端末無線通信部により無線通信し、前記情報処理装置に対して所定の設定を行う端末制御部を有する端末と、
を備えることを特徴とする通信システム。
【請求項６】
前記所定の設定は、所定の無線ネットワークへの接続に関する設定を含む請求項５に記載の通信システム。
【請求項７】
前記情報処理装置は、
記録媒体に印刷する印刷部を有し、
前記情報処理装置の前記制御部は、
前記印刷部を制御して、生成した前記設定識別子を示す情報を、前記記録媒体に印刷させる請求項５又は６に記載の通信システム。
【請求項８】
前記情報処理装置の前記制御部は、
所定の値の前記設定識別子を生成し、生成した後に前記外部識別子を取得し、
生成した前記設定識別子の値と、取得した前記外部識別子の値とが同一でない場合は、生成した前記設定識別子を、アクセスポイントとして機能する前記無線通信部のネットワーク識別子として設定し、
生成した前記設定識別子の値と、取得した前記外部識別子の値とが同一の場合は、生成した前記設定識別子の値を、取得した前記外部識別子の値と異なるように、所定のルールに従って変更し、変更後の前記設定識別子を、アクセスポイントとして機能する前記無線通信部のネットワーク識別子として設定する請求項５乃至７のいずれか１項に記載の通信システム。
【請求項９】
前記情報処理装置の前記制御部は、
前記外部識別子を取得し、取得した後に取得した前記外部識別子の値と異なる値の前記設定識別子を生成し、生成した前記設定識別子を、アクセスポイントとして機能する前記無線通信部のネットワーク識別子として設定する請求項５乃至７のいずれか１項に記載の通信システム。
【請求項１０】
アクセスポイントとして機能し、外部装置と無線通信する無線通信部を備える情報処理装置の制御方法であって、
識別情報に基づいてネットワーク識別子である設定識別子を生成する処理、周辺に位置するアクセスポイントのネットワーク識別子である外部識別子を取得する処理、及び、取得した前記外部識別子と生成した前記設定識別子とが同一でない場合に、生成した前記設定識別子を、アクセスポイントとして機能する前記無線通信部のネットワーク識別子として設定する処理を実行する
ことを特徴とする情報処理装置の制御方法。
【発明の詳細な説明】
【技術分野】
【０００１】
本発明は、情報処理装置、通信システム、及び、情報処理装置の制御方法に関する。
【背景技術】
【０００２】
特許文献１には、アクセスポイントを利用した通信に関する技術が記載されている。
【先行技術文献】
【特許文献】
【０００３】
【特許文献１】特開２０１４−０１７５４８号公報
【発明の概要】
【発明が解決しようとする課題】
【０００４】
ここで、アクセスポイントは、当該アクセスポイントによって構築される無線ネットワークを識別するネットワーク識別子が設定され、外部装置は、ネットワーク識別子に基づいて、アクセスポイントにアクセスする。この場合において、１の外部装置が無線通信可能な範囲に複数のアクセスポイントが位置する場合に、ネットワーク識別子の重複に起因して、当該１の外部装置により、各アクセスポイントを区別して認識できない場合が生じ得た。
本発明は、上述した事情に鑑みてなされたものであり、アクセスポイントとして機能する情報処理装置について、周辺に他のアクセスポイントがある場合に、確実に、他のアクセスポイントと区別して認識できるようにすることを目的とする。
【課題を解決するための手段】
【０００５】
上記目的を達成するために、本発明の情報処理装置は、アクセスポイントとして機能し、外部装置と無線通信する無線通信部と、識別情報に基づいてネットワーク識別子である設定識別子を生成する処理、周辺に位置するアクセスポイントのネットワーク識別子である外部識別子を取得する処理、及び、取得した前記外部識別子と生成した前記設定識別子とが同一でない場合に、生成した前記設定識別子を、アクセスポイントとして機能する前記無線通信部のネットワーク識別子として設定する処理を実行する制御部と、を備えることを特徴とする。
本発明の構成によれば、アクセスポイントとして機能する情報処理装置について、周辺に他のアクセスポイントがある場合に、確実に、他のアクセスポイントと区別して認識できるようにすることができる。
【０００６】
また、本発明の情報処理装置は、記録媒体に印刷する印刷部を備え、前記制御部は、前記印刷部を制御して、生成した前記設定識別子を示す情報を、前記記録媒体に印刷させる。
本発明の構成によれば、ユーザーは、記録媒体に印刷された情報を参照することにより、生成された設定識別子を認識できる。
【０００７】
また、本発明の情報処理装置は、前記制御部は、前記設定識別子を生成した後に前記外部識別子を取得し、生成した前記設定識別子の値と、取得した前記外部識別子の値とが同一でない場合は、生成した前記設定識別子を、アクセスポイントとして機能する前記無線通信部のネットワーク識別子として設定し、生成した前記設定識別子の値と、取得した前記外部識別子の値とが同一の場合は、生成した前記設定識別子の値を、取得した前記外部識別子の値と異なるように、所定のルールに従って変更し、変更後の前記設定識別子を、アクセスポイントとして機能する前記無線通信部のネットワーク識別子として設定する。
本発明の構成によれば、生成する設定識別子の値を、情報処理装置の周辺に位置するアクセスポイントのネットワーク識別子の値と確実に異ならせることができる。
【０００８】
また、本発明の情報処理装置は、前記制御部は、前記外部識別子を取得し、取得した後に取得した前記外部識別子の値と異なる値の前記設定識別子を自身の識別情報に基づいて生成し、生成した前記設定識別子を、アクセスポイントとして機能する前記無線通信部のネットワーク識別子として設定する。
本発明の構成によれば、生成する設定識別子の値を、情報処理装置の周辺に位置するアクセスポイントのネットワーク識別子の値と確実に異ならせることができる。
【０００９】
また、上記目的を達成するために、本発明の通信システムは、アクセスポイントとして機能し、外部装置と無線通信する無線通信部、及び、識別情報に基づいてネットワーク識別子である設定識別子を生成する処理、周辺に位置するアクセスポイントのネットワーク識別子である外部識別子を取得する処理、及び、取得した前記外部識別子と生成した前記設定識別子とが同一でない場合に、生成した前記設定識別子を、アクセスポイントとして機能する前記無線通信部のネットワーク識別子として設定する処理を実行する制御部を有する情報処理装置と、無線通信する端末無線通信部、及び、前記設定識別子に基づいて、アクセスポイントとして機能する前記情報処理装置の前記無線通信部と前記端末無線通信部により無線通信し、前記情報処理装置に対して所定の設定を行う端末制御部を有する端末と、を備えることを特徴とする。
本発明の構成によれば、アクセスポイントとして機能する情報処理装置について、周辺に他のアクセスポイントがある場合に、確実に、他のアクセスポイントと区別して認識できるようにすることができる。
【００１０】
また、本発明の通信システムは、前記所定の設定は、所定の無線ネットワークへの接続に関する設定を含む。
本発明の構成によれば、端末は、情報処理装置に対して所定の無線ネットワークへの接続に関する設定を行って、情報処理装置を無線ネットワークに接続できる状態とすることができる。
【００１１】
また、本発明の通信システムは、前記情報処理装置は、記録媒体に印刷する印刷部を有し、前記情報処理装置の前記制御部は、前記印刷部を制御して、生成した前記設定識別子を示す情報を、前記記録媒体に印刷させる。
本発明の構成によれば、ユーザーは、記録媒体に印刷された情報を参照することにより、生成された設定識別子を認識できる。
【００１２】
また、本発明の通信システムは、前記情報処理装置の前記制御部は、所定の値の前記設定識別子を生成し、生成した後に前記外部識別子を取得し、生成した前記設定識別子の値と、取得した前記外部識別子の値とが同一でない場合は、生成した前記設定識別子を、アクセスポイントとして機能する前記無線通信部のネットワーク識別子として設定し、生成した前記設定識別子の値と、取得した前記外部識別子の値とが同一の場合は、生成した前記設定識別子の値を、取得した前記外部識別子の値と異なるように、所定のルールに従って変更し、変更後の前記設定識別子を、アクセスポイントとして機能する前記無線通信部のネットワーク識別子として設定する。
本発明の構成によれば、生成する設定識別子の値を、情報処理装置の周辺に位置するアクセスポイントのネットワーク識別子の値と確実に異ならせることができる。
【００１３】
また、本発明の通信システムは、前記情報処理装置の前記制御部は、前記外部識別子を取得し、取得した後に取得した前記外部識別子の値と異なる値の前記設定識別子を生成し、生成した前記設定識別子を、アクセスポイントとして機能する前記無線通信部のネットワーク識別子として設定する。
本発明の構成によれば、生成する設定識別子の値を、情報処理装置の周辺に位置するアクセスポイントのネットワーク識別子の値と確実に異ならせることができる。
【００１４】
また、上記目的を達成するために、本発明の情報処理装置の制御方法は、アクセスポイントとして機能し、外部装置と無線通信する無線通信部を備える情報処理装置の制御方法であって、識別情報に基づいてネットワーク識別子である設定識別子を生成する処理、周辺に位置するアクセスポイントのネットワーク識別子である外部識別子を取得する処理、及び、取得した前記外部識別子と生成した前記設定識別子とが同一でない場合に、生成した前記設定識別子を、アクセスポイントとして機能する前記無線通信部のネットワーク識別子として設定する処理を実行することを特徴とする。
本発明の構成によれば、アクセスポイントとして機能する情報処理装置について、周辺に他のアクセスポイントがある場合に、確実に、他のアクセスポイントと区別して認識できるようにすることができる。
【図面の簡単な説明】
【００１５】
【図１】本実施形態に係るＰＯＳシステムを示す図。
【図２】タブレット端末、印刷装置の機能的構成を示すブロック図。
【図３】印刷装置、タブレット端末の動作を示すフローチャート。
【図４】印刷装置の動作を示すフローチャート。
【図５】印刷装置の動作を示すフローチャート。
【図６】印刷装置、タブレット端末の動作を示すフローチャート。
【発明を実施するための形態】
【００１６】
以下、図面を参照して本発明の実施形態について説明する。
図１は、本実施形態に係るＰＯＳ（Point of Sales）システム１（通信システム）を示す図である。
ＰＯＳシステム１は、ショッピングセンターや、百貨店、コンビニエンスストア等の小売店や、レストランや、喫茶店、居酒屋等の飲食店等の店舗に適用されるシステムである。
ＰＯＳシステム１は、店舗に設けられたレジカウンターＬにおいて、顧客が購入した商品に応じた会計を行う機能、会計に応じてレシートを発行する機能等を備える。
【００１７】
ＰＯＳシステム１が適用される店舗には、顧客が会計を行なうレジカウンターＬが設けられる。レジカウンターＬには、会計に応じてレシートを発行可能な印刷装置１１（情報処理装置）が設けられる。また、レジカウンターＬで会計を担当するレジ担当者には、タブレット端末１０（端末）が付与される。印刷装置１１と、タブレット端末１０とは、アクセスポイントである代表アクセスポイントＤＡＰを有して構成される無線ネットワークＬＮを介して無線通信する。
【００１８】
印刷装置１１には、１又は複数の会計処理用デバイスが接続される。
会計処理用デバイスは、レジカウンターＬにおいて、会計時に使用されるデバイスである。本実施形態では、会計処理デバイスに、バーコードリーダーＢＲ、クレジットカードリーダーＣＲ、及び、自動釣銭機ＪＴが少なくとも含まれる。
バーコードリーダーＢＲは、商品や、商品の包装に付されたバーコードを光学的に読み取る読取装置である。
クレジットカードリーダーＣＲは、顧客のクレジットカードを磁気的に読み取る読取装置である。
自動釣銭機ＪＴは、貨幣の挿入を受け付ける貨幣受取口と、釣銭を排出する釣銭排出口と、貨幣を収納する貨幣収納部とを有する。自動釣銭機ＪＴは、貨幣受取口を介して会計に対応する貨幣が挿入された場合、対応する釣銭を釣銭排出口から排出する。
【００１９】
タブレット端末１０は、タブレット型（板状）のコンピューターである。
タブレット端末１０は、レジカウンターＬにおける会計に際し、レジ担当者に所定のユーザーインターフェースを提供する。レジ担当者は、ユーザーインターフェースに、会計に対応する入力を行い、また、ユーザーインターフェースに表示された会計に関する情報を参照する。タブレット端末１０は、レジカウンターＬで行われる会計に応じて、印刷装置１１を制御して、レシートを発行させる。印刷装置１１により発行されたレシートは、顧客に引き渡される。
【００２０】
図２は、ＰＯＳシステム１を構成するタブレット端末１０、及び、印刷装置１１の機能的構成を示すブロック図である。
【００２１】
印刷装置１１は、サーマルヘッドによってロール紙にドットを形成して画像を印刷するサーマルプリンターである。
図２に示すように、印刷装置１１は、制御部２０と、印刷部２１と、表示部２２と、入力部２３と、記憶部２４と、デバイス通信部２５と、無線通信部２６と、を備える。
【００２２】
制御部２０は、ＣＰＵや、ＲＯＭ、ＲＡＭ、その他周辺回路等を備え、例えば、ＲＯＭに記憶された制御プログラムをＣＰＵにより実行する等、ハードウェア及びソフトウェアにより印刷装置１１を制御する。
【００２３】
印刷部２１は、印刷機構と、搬送機構と、切断機構とを備える。
印刷機構は、ライン型のサーマルヘッドや、サーマルヘッドを駆動するヘッド駆動回路等のロール紙にドットを形成することによって画像を印刷する各種機構を備える。
搬送機構は、搬送ローラーや、搬送ローラーを回転させる搬送モーター、搬送モーターを駆動するモーター駆動回路等のロール紙を搬送する各種機構を備える。
切断機構は、カッターユニットや、カッターユニットが有する可動刃を移動させるカッター駆動モーター、カッター駆動モーターを駆動するモーター駆動回路等のロール紙を切断する各種機構を備える。
【００２４】
表示部２２は、表示パネルや、ＬＥＤ等を備え、制御部２０の制御で、表示パネルに画像を表示し、また、ＬＥＤを所定の態様で点灯／消灯して、所定の情報をユーザーに報知する。
【００２５】
入力部２３は、操作スイッチ等の入力手段を備え、入力手段に対する操作を検出し、制御部２０に出力する。制御部２０は、入力部２３からの入力に基づいて、入力手段に対する操作に対応する処理を実行する。
【００２６】
記憶部２４は、メモリーを備え、各種データを記憶する。記憶部２４が記憶するデータについては後述する。
記憶部２４は、印刷装置アクセスポイント設定ファイル２４１を記憶する。印刷装置アクセスポイント設定ファイル２４１には、後述する無線通信部２６がアクセスポイントとして機能するときの通信に関する設定情報が記録される。
記憶部２４は、印刷装置ネットワーク接続設定ファイル２４２を記憶する。印刷装置ネットワーク接続設定ファイル２４２には、後述する無線通信部２６が、無線ネットワークＬＮと接続するときの通信に関する設定情報が記録される。
【００２７】
デバイス通信部２５は、制御部２０の制御で、ＵＳＢ等の所定の通信規格に従って、印刷装置１１に接続されたデバイスと通信する。
【００２８】
無線通信部２６は、制御部２０の制御で、所定の無線通信の規格に従って、無線通信を行う。
本実施形態では、所定の無線通信の規格は、ＩＥＥＥ８０２．１１ｘに対応する無線通信の規格を含む。従って、本実施形態において、ネットワークの識別に用いられるネットワーク識別子は、ＳＳＩＤ（Service Set Identifier）である。
【００２９】
無線通信部２６は、アクセスポイントとして機能し、外部装置と無線通信する。
印刷装置アクセスポイント設定ファイル２４１には、設定情報として、アクセスポイントとして機能する無線通信部２６のＳＳＩＤ（以下、「印刷装置ＳＳＩＤ」という。）、及び、無線通信に使用するパスワード（以下、「印刷装置パスワード」という。）が記録される。
印刷装置ＳＳＩＤは、「設定識別子」に相当する。
【００３０】
また、無線通信部２６は、代表アクセスポイントＤＡＰにアクセスし、無線ネットワークＬＮに接続されたタブレット端末１０と、無線ネットワークＬＮを介して無線通信する。
印刷装置ネットワーク接続設定ファイル２４２には、設定情報として、代表アクセスポイントＤＡＰのＳＳＩＤ（以下、「代表アクセスポイントＳＳＩＤ」という。）、及び、無線通信に使用するパスワード（以下、「代表アクセスポイントパスワード」という。）が記録される。
【００３１】
無線通信部２６は、アクセスポイントとして機能し外部装置と無線通信する処理、及び、無線ネットワークＬＮと接続し当該ネットワークを介して外部装置と無線通信する処理を同時に並行して実行できる。
【００３２】
タブレット端末１０は、前面にタッチパネル３１が設けられたタブレット型のコンピューターである。
図２に示すように、タブレット端末１０は、端末制御部３０と、タッチパネル３１と、端末記憶部３２と、端末無線通信部３３と、を備える。
【００３３】
端末制御部３０は、ＣＰＵや、ＲＯＭ、ＲＡＭ、その他周辺回路等を備え、例えば、ＲＯＭに記憶された制御プログラムをＣＰＵにより実行する等、ハードウェア及びソフトウェアによりタブレット端末１０を制御する。
タブレット端末１０には、設定アプリケーション、及び、ＰＯＳアプリケーションの２つのアプリケーションがインストールされる。
端末制御部３０は、設定アプリケーションを読み出して実行することにより、設定アプリ実行部３０１として機能する。
端末制御部３０は、ＰＯＳアプリケーションを読み出して実行することにより、ＰＯＳアプリ実行部３０２として機能する。
設定アプリ実行部３０１、及び、ＰＯＳアプリ実行部３０２の機能、及び、機能に基づく処理については、後述する。
【００３４】
タッチパネル３１は、液晶表示パネル等の表示パネルと、液晶表示パネルに重ねて設けられたタッチセンサーとを備える。表示パネルは、端末制御部３０の制御で、画像を表示する。タッチセンサーは、タッチ操作を検出し、端末制御部３０に出力する。端末制御部３０は、タッチ操作に対応する処理を実行する。
【００３５】
端末記憶部３２は、メモリーを備え、各種データを記憶する。
端末記憶部３２は、端末アクセスポイントモード設定ファイル３２１を記憶する。端末アクセスポイントモード設定ファイル３２１には、後述する端末無線通信部３３が、後述する端末アクセスポイントモードで動作する場合の、通信に関する設定情報が記録される。
端末記憶部３２は、端末ネットワーク接続モード設定ファイル３２２を記憶する。端末ネットワーク接続モード設定ファイル３２２には、後述する端末無線通信部３３が、後述する端末ネットワーク接続モードで動作する場合の、通信に関する設定情報が記録される。
【００３６】
端末無線通信部３３は、端末制御部３０の制御で、所定の無線通信の規格に従って、無線通信を行う。
端末無線通信部３３が無線通信するときの動作モードとして、端末アクセスポイントモードと、端末ネットワーク接続モードとの２つの動作モードがある。
【００３７】
端末アクセスポイントモードでは、無線通信部２６は、アクセスポイントとして機能する印刷装置１１の無線通信部２６と無線通信する。
端末アクセスポイントモード設定ファイル３２１には、設定情報として、印刷装置ＳＳＩＤ、及び、印刷装置パスワードが記録される。
【００３８】
端末ネットワーク接続モードでは、無線通信部２６は、代表アクセスポイントＤＡＰにアクセスし、無線ネットワークＬＮに接続された印刷装置１１と、無線ネットワークＬＮを介して無線通信する。
端末ネットワーク接続モード設定ファイル３２２には、設定情報として、代表アクセスポイントＳＳＩＤ、及び、代表アクセスポイントパスワードが記録される。
【００３９】
ところで、上述したように、印刷装置１１が記憶する印刷装置ネットワーク接続設定ファイル２４２には、設定情報として、代表アクセスポイントＳＳＩＤ、及び、代表アクセスポイントパスワードが記録される。
そして、印刷装置１１が記憶する印刷装置ネットワーク接続設定ファイル２４２の代表アクセスポイントＳＳＩＤ、及び、代表アクセスポイントパスワードは、印刷装置１１をＰＯＳシステム１に導入して、無線ネットワークＬＮに接続するときに、以下の方法で、タブレット端末１０によって当該設定ファイルに記録される。
以下、印刷装置１１をＰＯＳシステム１に導入する際に、タブレット端末１０により行われる印刷装置１１への設定を、「初期設定」という。印刷装置１１は、初期設定が行われることにより、無線ネットワークＬＮと接続可能な状態となる。
【００４０】
図３は、初期設定時の印刷装置１１、及び、タブレット端末１０の動作を示すフローチャートであり、（Ａ）は印刷装置１１の動作を、（Ｂ）はタブレット端末１０の動作を示す。
【００４１】
印刷装置１１の初期設定を行う場合、ユーザーは、印刷装置１１の電源ボタンを操作して、印刷装置１１を起動する（ステップＳＸ１）。
なお、印刷装置１１の起動時、印刷装置ネットワーク接続設定ファイル２４２に、代表アクセスポイントＳＳＩＤ、及び、代表アクセスポイントパスワードが未記録であるため、印刷装置１１は、代表アクセスポイントＤＡＰにアクセスできない。
【００４２】
図３（Ａ）に示すように、印刷装置１１が起動されると、制御部２０は、ＳＳＩＤ生成／設定処理を実行する（ステップＳＡ１）。
ＳＳＩＤ生成／設定処理は、印刷装置ＳＳＩＤを生成し、生成した印刷装置ＳＳＩＤを、印刷装置アクセスポイント設定ファイル２４１に記録する処理である。
本実施形態では、ＳＳＩＤ生成／設定処理の方法として、第１方法と、第２方法との２つの方法があり、制御部２０は、いずれかの方法で、ＳＳＩＤ生成／設定処理を実行可能である。
以下、第１方法に係るＳＳＩＤ生成／設定処理と、第２方法に係るＳＳＩＤ生成／設定処理とのそれぞれについて、詳述する。
【００４３】
＜第１方法＞
図４は、第１方法でＳＳＩＤ生成／設定処理を実行するときの制御部２０の動作を示すフローチャートである。
【００４４】
図４に示すように、制御部２０は、所定の値の印刷装置ＳＳＩＤを生成する（ステップＳＣ１）。
所定の値は、例えば、印刷装置１１の機種名を表す文字列と、シリアル番号との組み合わせである。シリアル番号は、印刷装置１１の製造時に、印刷装置１１に割り当てられる識別情報である。ステップＳＣ１で生成する印刷装置ＳＳＩＤの値を、印刷装置１１の機種名を表す文字列と、シリアル番号との組み合わせにすることにより、ステップＳＣ１で生成する印刷装置ＳＳＩＤの値を、周辺に位置するアクセスポイントのＳＳＩＤの値と異なる確率を向上でき、後述するステップＳＣ４の処理が行われない確率を向上でき、処理効率を向上できる。
さらに、ステップＳＣ１で生成する印刷装置ＳＳＩＤの値を、印刷装置１１の機種名を表す文字列と、シリアル番号との組み合わせにすることにより、印刷装置ＳＳＩＤの値を、印刷装置１１に由来する値とすることができ、ユーザーが、印刷装置ＳＳＩＤの値に基づいて、当該印刷装置ＳＳＩＤが、印刷装置１１に設定されたＳＳＩＤであることを容易に認識可能となる。すなわち、ユーザーは、印刷装置１１の機種名を把握している場合が多い。また、シリアル番号は、例えば、シリアル番号が記されたシールが印刷装置１１に貼られる等して、ユーザーが、容易に認識できる場合が多い。従って、ステップＳＣ１で生成する印刷装置ＳＳＩＤの値を、印刷装置１１の機種名を表す文字列と、シリアル番号との組み合わせにすることにより、ユーザーが、印刷装置ＳＳＩＤの値に基づいて、当該印刷装置ＳＳＩＤが、印刷装置１１に設定されたＳＳＩＤであることを容易に認識可能となる。
なお、ステップＳＣ１で生成する印刷装置ＳＳＩＤの値は、例示した値に限らない。
以下、ステップＳＣ１で生成した印刷装置ＳＳＩＤを、「初期印刷装置ＳＳＩＤ」という。
【００４５】
印刷装置１１の機種名を表す文字列と、シリアル番号との組み合わせは、「識別情報」に相当する。
【００４６】
初期印刷装置ＳＳＩＤを生成した後、制御部２０は、無線通信部２６を制御し、通信可能なアクセスポイント（周辺に位置するアクセスポイント）を検出し、検出したアクセスポイントのＳＳＩＤを取得する（ステップＳＣ２）。アクセスポイントの検出、及び、ＳＳＩＤの取得は、既存の技術により行われる。
以下、ステップＳＣ２で取得した印刷装置１１の周辺に位置するアクセスポイントのＳＳＩＤを「外部装置ＳＳＩＤ」と表現する。外部装置ＳＳＩＤは、「外部識別子」に相当する。
ここで、印刷装置１１の周辺には、アクセスポイントとして機能する無線通信部２６や、代表アクセスポイントＤＡＰのほかに、アクセスポイントが存在する可能性がある。例えば、ＰＯＳシステム１以外のシステムで使用されるアクセスポイントや、顧客等が店舗に持ち込んだデザリング機能付きの端末に係るアクセスポイント等である。ステップＳＣ２において、制御部２０は、このような印刷装置１１の周辺に位置するアクセスポイントを検出する。
【００４７】
次いで、制御部２０は、ステップＳＣ２で取得した外部装置ＳＳＩＤの値（取得した外部装置ＳＳＩＤが複数ある場合は、複数の外部装置ＳＳＩＤのそれぞれの値）と、ステップＳＣ１で生成した初期印刷装置ＳＳＩＤの値とを比較し、これら値が同一であるか否かを判別する（ステップＳＣ３）。
ステップＳＣ２で取得した外部装置ＳＳＩＤが複数ある場合、ステップＳＣ３において、制御部２０は、初期印刷装置ＳＳＩＤの値と同一の値の外部装置ＳＳＩＤが１つでも存在する場合、初期印刷装置ＳＳＩＤの値と外部装置ＳＳＩＤの値とが同一であると判別する。
【００４８】
初期印刷装置ＳＳＩＤの値と外部装置ＳＳＩＤの値とが同一である場合（ステップＳＣ３：ＹＥＳ）、制御部２０は、以下の処理を実行する。
すなわち、制御部２０は、初期印刷装置ＳＳＩＤの値を所定のルールに従って変更した変更後印刷装置ＳＳＩＤを生成する（ステップＳＣ４）。
例えば、ステップＳＣ４において、制御部２０は、以下のルールで、初期印刷装置ＳＳＩＤの値に付加情報を付加して、変更後印刷装置ＳＳＩＤを生成する。
すなわち、ステップＳＣ４の処理が行われるのが１回目の場合は、初期印刷装置ＳＳＩＤの値に、付加情報として、値「_1」を付加する。この結果、例えば、ステップＳＣ４の処理が行われる前の初期印刷装置ＳＳＩＤの値が値「XX1-001」である場合、ステップＳＣ４の処理が行われた後の初期印刷装置ＳＳＩＤの値が、「XX1-001_1」となる。
さらに、制御部２０は、ステップＳＣ４の処理が行われるのが２回目の場合は、初期印刷装置ＳＳＩＤに付加情報として値「_2」を付加して変更後印刷装置ＳＳＩＤを生成し、３回目の場合は、初期印刷装置ＳＳＩＤに付加情報とした値「_3」を付加して変更後印刷装置ＳＳＩＤを生成する、というように、ステップＳＣ４の処理が行われた回数に応じて付加情報の値を変化させ、変化後の付加情報を初期印刷装置ＳＳＩＤに付加することにより、変更後印刷装置ＳＳＩＤを生成する。
【００４９】
ステップＳＣ４で変更後印刷装置ＳＳＩＤを生成した後、制御部２０は、処理手順をステップＳＣ３に戻し、ステップＳＣ４で生成した変更後印刷装置ＳＳＩＤの値と、ステップＳＣ２で取得した外部装置ＳＳＩＤの値とを比較し、これら値が同一であるか否かを判別する。
【００５０】
ステップＳＣ３において、ステップＳＣ１で生成した初期印刷装置ＳＳＩＤの値、又は、ステップＳＣ４で生成した変更後印刷装置ＳＳＩＤの値と、ステップＳＣ２で取得した外部装置ＳＳＩＤの値とが同一でないと判別した場合、制御部２０は、以下の処理を実行する。
すなわち、制御部２０は、印刷装置アクセスポイント設定ファイル２４１に、印刷装置ＳＳＩＤの設定情報として、ステップＳＣ１で生成した初期印刷装置ＳＳＩＤ、又は、ステップＳＣ４で生成した変更後印刷装置ＳＳＩＤを記録する（ステップＳＣ５）。
ステップＳＣ５の処理は、アクセスポイントとして機能する無線通信部２６のネットワーク識別子を設定する処理に相当する。
【００５１】
なお、詳細は省略するが、印刷装置パスワードは、自動で、又は、手動で生成され、所定のタイミングで、印刷装置アクセスポイント設定ファイル２４１に記録される。
【００５２】
ステップＳＣ１〜ステップＳＣ５の処理が実行されることにより、以下の効果を奏する。
アクセスポイントして機能する無線通信部２６の印刷装置ＳＳＩＤとして、周辺に位置するアクセスポイントのＳＳＩＤと異なる値の印刷装置ＳＳＩＤを設定できる。これにより、後に明らかとなるとおり、タブレット端末１０がアクセスポイントとして機能する無線通信部２６にアクセスする際に、ユーザーは、設定された印刷装置ＳＳＩＤに基づいて、アクセスポイントとして機能する無線通信部２６を、他のアクセスポイントと区別して認識できる。
【００５３】
印刷装置アクセスポイント設定ファイル２４１に、設定情報として、印刷装置ＳＳＩＤを記録した後、制御部２０は、ＳＳＩＤ印刷機能が有効か否かを判別する（ステップＳＣ６）。ユーザーは、ＳＳＩＤ印刷機能の有効／無効を所定の手段により切り替えることができる。
【００５４】
ＳＳＩＤ印刷機能が有効の場合（ステップＳＣ６：ＹＥＳ）、制御部２０は、印刷部２１を制御して、印刷装置アクセスポイント設定ファイル２４１に記録された印刷装置ＳＳＩＤを示す情報を、ロール紙に印刷する（ステップＳＣ７）。その後、制御部２０は、処理を終了する。印刷装置ＳＳＩＤと併せて、印刷装置パスワードを印刷してもよい。
ユーザーは、ステップＳＣ７の処理によりロール紙に印刷された情報を参照することにより、アクセスポイントとして機能する無線通信部２６のＳＳＩＤ（印刷装置ＳＳＩＤ）、及び、使用するパスワード（印刷装置パスワード）を確実に認識できる。
【００５５】
ＳＳＩＤ印刷機能が無効の場合（ステップＳＣ６：ＮＯ）、制御部２０は、ロール紙に所定の情報を印刷することなく、処理を終了する。
なお、ＳＳＩＤ印刷機能が無効の場合でも、ユーザーは、所定の手段により、任意のタイミングで、印刷装置１１に、印刷装置ＳＳＩＤを示す情報を印刷させることができる。例えば、ユーザーは、印刷装置１１の印刷装置ＳＳＩＤを第三者が知得しないようにすることを望む場合、ＳＳＩＤ印刷機能を無効にした上で、印刷装置１１の周辺に第三者が存在いない状況のときに、所定の手段により、印刷装置１１に印刷装置ＳＳＩＤを示す情報を印刷させる。
【００５６】
以上、第１方法に係るＳＳＩＤ生成／設定処理ついて説明した。この第１方法によれば、アクセスポイントとして機能する無線通信部２６のＳＳＩＤの値を、周辺に位置するアクセスポイントのＳＳＩＤの値と確実に異ならせることができ、また、設定したＳＳＩＤ（印刷装置ＳＳＩＤ）の値をユーザーに認識させることができる。
【００５７】
＜第２方法＞
図５は、第２方法でＳＳＩＤ生成／設定処理を実行するときの制御部２０の動作を示すフローチャートである。
【００５８】
図５に示すように、制御部２０は、無線通信部２６を制御し、通信可能なアクセスポイント（周辺に位置するアクセスポイント）を検出し、検出したアクセスポイントのＳＳＩＤ（外部装置ＳＳＩＤ）を取得する（ステップＳＤ１）。
【００５９】
次いで、制御部２０は、ステップＳＤ１で取得した外部装置ＳＳＩＤの値と異なる値の印刷装置ＳＳＩＤを生成する（ステップＳＤ２）。
例えば、制御部２０は、第１方法で説明した手順と同様、機種名とシリアル番号との組み合わせを初期値とし、初期値と一致する外部装置ＳＳＩＤがある場合は、初期値に所定のルールに従って値が変化する付加情報を付加する等して、ステップＳＤ１で取得した外部装置ＳＳＩＤの値と異なる値の印刷装置ＳＳＩＤを生成する。
【００６０】
次いで、制御部２０は、ステップＳＤ２で生成した印刷装置ＳＳＩＤを、設定情報として、印刷装置アクセスポイント設定ファイル２４１に記録する（ステップＳＤ３）。
【００６１】
次いで、制御部２０は、ＳＳＩＤ印刷機能が有効か否かを判別する（ステップＳＤ４）。
ＳＳＩＤ印刷機能が有効の場合（ステップＳＤ４：ＹＥＳ）、制御部２０は、印刷部２１を制御して、印刷装置アクセスポイント設定ファイル２４１に記録された印刷装置ＳＳＩＤを示す情報を、ロール紙に印刷する（ステップＳＤ５）。その後、制御部２０は、処理を終了する。印刷装置ＳＳＩＤと併せて、印刷装置パスワードを印刷してもよい。
ＳＳＩＤ印刷機能が無効の場合（ステップＳＣ６：ＮＯ）、制御部２０は、ロール紙に所定の情報を印刷することなく、処理を終了する。
【００６２】
以上、第２方法に係るＳＳＩＤ生成／設定処理ついて説明した。この第２方法によれば、第１方法と同様、アクセスポイントとして機能する無線通信部２６のＳＳＩＤの値を、周辺に位置するアクセスポイントのＳＳＩＤの値と確実に異ならせることができ、また、設定したＳＳＩＤ（印刷装置ＳＳＩＤ）の値をユーザーに認識させることができる。
【００６３】
図３（Ａ）に示すように、ステップＳＡ１のＳＳＩＤ生成／設定処理の実行後、制御部２０は、無線通信部２６を、印刷装置アクセスポイント設定ファイル２４１に記録された印刷装置ＳＳＩＤをＳＳＩＤとするアクセスポイントとして機能させる（ステップＳＡ２）。
【００６４】
一方、ユーザーは、無線通信部２６がアクセスポイントとして機能した後、タブレット端末１０の設定アプリケーションの起動を指示する（ステップＳＸ２）。
【００６５】
図３（Ｂ）に示すように、ユーザーの指示に応じて、端末制御部３０は、設定アプリケーションを起動する（ステップＳＢ１）。
【００６６】
次いで、端末制御部３０の設定アプリ実行部３０１は、端末無線通信部３３を制御し、通信可能なアクセスポイントの検出を実行する（ステップＳＢ２）。
【００６７】
次いで、設定アプリ実行部３０１は、ステップＳＢ２で検出したアクセスポイントのＳＳＩＤをタッチパネル３１に一覧表示する（ステップＳＢ３）。
ステップＳＢ３で一覧表示されるＳＳＩＤには、印刷装置１１の無線通信部２６のＳＳＩＤ（印刷装置ＳＳＩＤ）、及び、代表アクセスポイントＤＡＰのＳＳＩＤ（代表アクセスポイントＳＳＩＤ）が少なくとも含まれる。
ステップＳＢ３において、設定アプリ実行部３０１は、各ＳＳＩＤを選択可能に表示し、１のＳＳＩＤが選択された場合、当該１のＳＳＩＤに係るアクセスポイントとの通信で使用するパスワードを入力するユーザーインターフェースを表示する。
【００６８】
ユーザーは、一覧表示されたＳＳＩＤから、印刷装置１１の無線通信部２６のＳＳＩＤ（印刷装置ＳＳＩＤ）を選択し、印刷装置パスワードを入力する（ステップＳＸ３）。
ここで、ＳＳＩＤ印刷機能が有効の場合、印刷装置ＳＳＩＤを示す情報がロール紙に印刷されるため、ユーザーは、ロール紙に印刷された情報に基づいて、印刷装置ＳＳＩＤを認識できる。また、ＳＳＩＤ印刷機能が無効の場合でも、ユーザーは、任意のタイミングで、印刷装置ＳＳＩＤを示す情報をロール紙に印刷させることができるため、ロール紙に印刷された情報に基づいて、印刷装置ＳＳＩＤを認識できる。
また、上述したように、印刷装置ＳＳＩＤの値は、印刷装置１１の周辺に位置するアクセスポイントのＳＳＩＤの値と異なる。従って、ステップＳＢ３で一覧表示されるＳＳＩＤにおいて、印刷装置ＳＳＩＤの値は、他のＳＳＩＤの値と異なった状態である。また、印刷装置ＳＳＩＤの値は、印刷装置１１の機種名を表す文字列と、シリアル番号との組み合わせで構成されている。従って、ユーザーは、一覧表示されたＳＳＩＤのうち、印刷装置ＳＳＩＤを確実に選択できる。
【００６９】
次いで、端末制御部３０は、端末アクセスポイントモード設定ファイル３２１に、ユーザーが選択したＳＳＩＤ（印刷装置ＳＳＩＤ）、及び、ユーザーが入力したパスワード（印刷装置パスワード）を記録する（ステップＳＢ４）。
【００７０】
次いで、端末制御部３０は、端末無線通信部３３の動作モードを、端末アクセスポイントモードに移行する（ステップＳＢ５）。
【００７１】
次いで、端末制御部３０は、所定の通信規格に従って、印刷装置１１の制御部２０と通信し、端末無線通信部３３と、アクセスポイントとして機能する無線通信部２６との間に通信リンクを確立し、タブレット端末１０と印刷装置１１とが無線通信できる状態とする（ステップＳＡ３、ステップＳＢ６）。
【００７２】
次いで、端末制御部３０は、設定ファイル更新指示データを生成し、生成した設定ファイル更新指示データを、印刷装置１１に送信する（ステップＳＢ７）。
設定ファイル更新指示データは、印刷装置１１の記憶部２４が記憶する印刷装置ネットワーク接続設定ファイル２４２への、代表アクセスポイントＳＳＩＤ、及び、代表アクセスポイントパスワードの記録を指示する制御データである。
なお、代表アクセスポイントＳＳＩＤ、及び、代表アクセスポイントパスワードは、所定の手段により、事前に、端末ネットワーク接続モード設定ファイル３２２に記録される。
【００７３】
図３（Ａ）に示すように、印刷装置１１の制御部２０は、設定ファイル更新指示データを受信する（ステップＳＡ４）。
次いで、制御部２０は、受信した設定ファイル更新指示データに基づいて、印刷装置ネットワーク接続設定ファイル２４２に、代表アクセスポイントＳＳＩＤ、及び、代表アクセスポイントパスワードを記録する（ステップＳＡ５）。
次いで、制御部２０は、印刷装置ネットワーク接続設定ファイル２４２に記録された代表アクセスポイントＳＳＩＤ、及び、代表アクセスポイントパスワードに基づいて、代表アクセスポイントＤＡＰにアクセスさせ、無線ネットワークＬＮと接続させる（ステップＳＡ６）。
次いで、制御部２０は、印刷装置ネットワーク接続設定ファイル２４２への、代表アクセスポイントＳＳＩＤ、及び、代表アクセスポイントパスワードの記録が完了したことを通知する通知データを、タブレット端末１０に送信する（ステップＳＡ７）。
【００７４】
図３（Ｂ）に示すように、タブレット端末１０の端末制御部３０の設定アプリ実行部３０１は、通知データを受信する（ステップＳＢ８）。
次いで、設定アプリ実行部３０１は、通知データの受信に応じて、以下の処理を実行する。
すなわち、設定アプリ実行部３０１は、端末無線通信部３３の動作モードを、端末ネットワーク接続モードへ移行する（ステップＳＢ９）
端末ネットワーク接続モードへの移行に応じて、端末無線通信部３３は、端末ネットワーク接続モード設定ファイル３２２に記録された代表アクセスポイントＳＳＩＤ、及び、代表アクセスポイントパスワードに基づいて、代表アクセスポイントＤＡＰにアクセスし、無線ネットワークＬＮと接続する（ステップＳＢ１０）。
【００７５】
次いで、設定アプリ実行部３０１は、以下の処理を実行する。すなわち、設定アプリ実行部３０１は、無線ネットワークＬＮを介して、テスト印字を要求するテスト印字コマンドを印刷装置１１送信する（ステップＳＢ１１）。
【００７６】
図３（Ａ）に示すように、印刷装置１１の制御部２０は、テスト印字コマンドを受信する（ステップＳＡ８）。
次いで、制御部２０は、受信したテスト印字コマンドに基づいて、ロール紙に所定の情報を印刷する（ステップＳＡ９）。ユーザーは、印刷装置１１によりロール紙に所定の情報が印刷されたことを確認することにより、印刷装置１１の無線ネットワークＬＮへの接続が正常に完了したことを確認できる。
【００７７】
次に、レジカウンターＬで行われた会計に応じてレシートを発行する場合のＰＯＳシステム１の各装置の動作について説明する。
【００７８】
図６は、レジカウンターＬで行われた会計に応じてレシートを発行するときのタブレット端末１０、及び、印刷装置１１の動作を示すフローチャートである。図６（Ａ）はタブレット端末１０の動作を示し、（Ｂ）は印刷装置１１の動作を示す。
図６では、上述したタブレット端末１０による印刷装置１１の初期設定が完了しており、タブレット端末１０と、印刷装置１１とは、無線ネットワークＬＮを介して通信可能な状態である。
【００７９】
図６（Ａ）に示すように、タブレット端末１０の端末制御部３０のＰＯＳアプリ実行部３０２は、レジカウンターＬで行われた会計に応じて、レシート情報が印刷されたレシートの発行を指示する印刷制御データを生成する（ステップＳＥ１）。レシート情報は、ロゴや、レシートの発行日時を示す情報、顧客が購入した商品に関する情報（商品の名称や、単価、購入数量等）、小計を示す情報、税に関する情報、合計金額を示す情報、お釣りを示す情報等を含む。
次いで、ＰＯＳアプリ実行部３０２は、生成した印刷制御データを、無線ネットワークＬＮを介して、印刷装置１１に送信する（ステップＳＥ２）。
【００８０】
図６（Ｂ）に示すように、印刷装置１１の制御部２０は、印刷制御データを受信する（ステップＳＦ１）。
次いで、制御部２０は、印刷制御データに基づいて、印刷部２１を制御して、レシートを発行する（ステップＳＦ２）。ステップＳＦ２で発行されたレシートは、レジの担当者によって、顧客に引き渡される。
【００８１】
以上説明したように、本実施形態に係る印刷装置１１（情報処理装置）は、アクセスポイントとして機能し、外部装置と無線通信する無線通信部２６と、周辺に位置するアクセスポイントのＳＳＩＤ（ネットワーク識別子）である外部装置ＳＳＩＤ（外部識別子）を取得し、印刷装置１１の機種名を表す文字列と、シリアル番号との組み合わせ（識別情報）に基づいて、取得した外部装置ＳＳＩＤと異なる値のＳＳＩＤである印刷装置ＳＳＩＤ（設定識別子）を生成し、生成した印刷装置ＳＳＩＤを、アクセスポイントとして機能する無線通信部２６のネットワーク識別子として設定する制御部２０と、を備える。
この構成によれば、アクセスポイントとして機能する無線通信部２６のＳＳＩＤの値を、印刷装置１１の周辺に位置するアクセスポイントのＳＳＩＤの値と確実に異ならせることができ、アクセスポイントとして機能する無線通信部２６を、他のアクセスポイントと区別して認識できるようにすることができる。
特に、本実施形態では、印刷装置ＳＳＩＤの値を、印刷装置１１の機種名を表す文字列と、シリアル番号との組み合わせに基づく値（当該組み合わせを含む値）とされる。このため、ユーザーが、印刷装置ＳＳＩＤの値に基づいて、当該印刷装置ＳＳＩＤが、印刷装置１１に設定されたＳＳＩＤであることを容易に認識可能となる。
【００８２】
また、本実施形態では、制御部２０は、印刷部２１を制御して、生成した印刷装置ＳＳＩＤを示す情報を、ロール紙（記録媒体）に印刷させる。
この構成によれば、ユーザーは、ロール紙に印刷された情報を参照することにより、アクセスポイントとして機能する無線通信部２６に設定されたＳＳＩＤの値を確実に認識することができる。
【００８３】
また、本実施形態では、第１方法において、制御部２０は、所定の値の初期印刷装置ＳＳＩＤ（設定識別子）を生成し、生成した初期印刷装置ＳＳＩＤの値と、取得した外部装置ＳＳＩＤの値とが同一でない場合は、生成した初期印刷装置ＳＳＩＤを、アクセスポイントとして機能する無線通信部２６のＳＳＩＤとして設定する。一方、制御部２０は、生成した初期印刷装置ＳＳＩＤの値と、取得した外部装置ＳＳＩＤの値とが同一の場合は、生成した初期印刷装置ＳＳＩＤの値を、取得した外部装置ＳＳＩＤの値と異なるように、所定のルールに従って変更して変更後印刷装置ＳＳＩＤを生成し、変更後印刷装置ＳＳＩＤを、アクセスポイントとして機能する無線通信部２６のＳＳＩＤとして設定する。
この構成によれば、印刷装置１１の周辺に位置するアクセスポイントのＳＳＩＤと確実に異なる値のＳＳＩＤを生成して、設定できる。
【００８４】
また、本実施形態では、第２方法において、制御部２０は、外部装置ＳＳＩＤを取得し、取得した外部装置ＳＳＩＤの値と異なる値の印刷装置ＳＳＩＤを生成し、生成した印刷装置ＳＳＩＤを、アクセスポイントとして機能する無線通信部２６のＳＳＩＤとして設定する。
この構成によれば、印刷装置１１の周辺に位置するアクセスポイントのＳＳＩＤと確実に異なる値のＳＳＩＤを生成して、設定できる。
【００８５】
また、本実施形態では、タブレット端末１０は、無線通信する端末無線通信部３３と、印刷装置ＳＳＩＤ（設定識別子）に基づいて、アクセスポイントとして機能する印刷装置１１の無線通信部２６と無線通信し、印刷装置１１に対して、所定の設定を行う端末制御部３０と、を備える。
また、所定の設定は、本実施形態では、印刷装置１１が、無線ネットワークＬＮに接続するのに必要な設定である。
この構成によれば、上述した効果に加えて、さらに、以下の効果を得ることができる。すなわち、タブレット端末１０は、アクセスポイントとして機能する無線通信部２６と無線通信して、印刷装置１１に所定の設定を行って、印刷装置１１を無線ネットワークＬＮに接続できる状態とすることができる。
【００８６】
なお、上述した実施の形態は、あくまでも本発明の一態様を示すものであり、本発明の範囲内で任意に変形および応用が可能である。
例えば、上述した実施形態では、印刷装置１１の装置本体が無線通信部２６を備える構成であった。しかしながら、印刷装置１１に、外付けの無線アダプターを接続し、無線アダプターを利用して、印刷装置１１が無線通信する構成でもよい。この場合、無線アダプター、及び、印刷装置１１において無線アダプターを制御する構成が、「無線通信部」として機能する。
また、上述した実施形態では、印刷装置１１はサーマル式のプリンターであったが、印刷方式はサーマル式に限らず、インクジェット式、ドットインパクト式等の他の方式でもよい。
また例えば、図を用いて説明した各機能ブロックはハードウェアとソフトウェアにより任意に実現可能であり、特定のハードウェア構成を示唆するものではない。
【符号の説明】
【００８７】
１…ＰＯＳシステム（通信システム）、１０…タブレット端末（端末、外部装置）、１１…印刷装置（情報処理装置）、２０…制御部、２１…印刷部、２６…無線通信部、３０…端末制御部、３３…端末無線通信部、ＬＮ…無線ネットワーク。
【図１】
2016171490.tif 000003
【図２】
2016171490.tif 000004
【図３】
2016171490.tif 000005
【図４】
2016171490.tif 000006
【図５】
2016171490.tif 000007
【図６】
2016171490.tif 000008